(57)【要約】【課題】永久磁石の磁力を利用して取付け対象面に取り付けて使用する物品ホルダにおいて、全体構造の簡素化を図りつつ、保持される物品の形状に制約なく使用することが可能な物品ホルダを提供すること。【解決手段】本発明に係る物品ホルダＡ１は、正面１ａ、背面１ｂ、およびこれら正面１ａと背面１ｂ間をつなぐ側面１ｃを有する磁石体１と、磁石体１の正面１ａに密着させて当該正面１ａを覆う正面被覆部２１、および磁石体１の側面１ｃを覆う側面被覆部２２を一体に有するカバー体２と、を備え、磁石体１の磁力によって背面側が取付け対象面Ｓに吸着固定され、磁石体１の磁力によって正面被覆部２１の外面２１ａに物品Ｇを吸着保持する物品ホルダＡ１であって、正面被覆部２１の厚みｔ２は、磁石体１の正面１ａと背面１ｂ間の厚みｔ１に対して所定の比率以下の寸法である。【選択図】図３
2013094382.tif 000002
【特許請求の範囲】
【請求項１】
正面、背面、およびこれら正面と背面間をつなぐ側面を有する磁石体と、
上記磁石体の上記正面に密着させて当該正面を覆う正面被覆部、および上記磁石体の上記側面を覆う側面被覆部を一体に有するカバー体と、を備え、上記磁石体の磁力によって背面側が取付け対象面に吸着固定され、上記磁石体の磁力によって上記正面被覆部の外面に物品を吸着保持する物品ホルダであって、
上記正面被覆部の厚みは、上記磁石体の上記正面と上記背面間の厚みに対して所定の比率以下の第１寸法であることを特徴とする、物品ホルダ。
【請求項２】
上記所定の比率は、１／２である、請求項１に記載の物品ホルダ。
【請求項３】
上記カバー体の上記側面被覆部の上記背面側の端面は、上記磁石体の上記背面に対して第２寸法をもって突出しており、この第２寸法は上記第１寸法よりも小である、請求項１に記載の物品ホルダ。
【請求項４】
上記カバー体は、木製である、請求項１ないし３のいずれかに記載の物品ホルダ。
【請求項５】
上記カバー体は、無垢の木材を切削して形成されている、請求項４に記載の物品ホルダ。
【発明の詳細な説明】
【技術分野】
【０００１】
本発明は、永久磁石の磁力を利用してドアなどの取付け対象面に取り付けて使用される物品ホルダに関する。
【背景技術】
【０００２】
玄関ドア等の取付け対象面に取り付けて使用される物品ホルダの一例として、永久磁石の磁力を利用して取り付けられるものが知られている（たとえば特許文献１を参照）。特許文献１に開示された物品ホルダは、磁石体の正面ないし側面を磁性板で覆い、この磁性板を吊下具本体の凹部に収容するように構成されたものである。吊下具本体の正面側下端には、物品を吊下げて保持するための鉤部が設けられている。また、磁石体および磁性板の背面側（取付け対象面に取り付けられる方）には、傷防止用のシートが貼り付けられており、磁性板等の取付け対象面への接触が防止されている。
【０００３】
しかしながら、上記特許文献１に開示された物品ホルダの使用に際し、鉤部に吊下げられる物品については、フック状ないしリング状の引っ掛け部を有する必要があるので、保持される物品の形状に制約があった。また、上記従来の物品ホルダは、磁石体、磁性板、鉤部を有する吊下具本体、およびシートを備えて構成されており、部品点数が多い。このため、全体構造が比較的複雑になり、製造コストの上昇といった不都合が生じ得た。
【先行技術文献】
【特許文献】
【０００４】
【特許文献１】特開平７−２８４４３９号公報
【発明の概要】
【発明が解決しようとする課題】
【０００５】
本発明は、このような事情のもとで考え出されたものであって、永久磁石の磁力を利用して取付け対象面に取り付けて使用する物品ホルダにおいて、全体構造の簡素化を図りつつ、保持される物品の形状に制約なく使用することが可能な物品ホルダを提供することを課題とする。
【課題を解決するための手段】
【０００６】
上記の課題を解決するため、本発明では、次の技術的手段を講じている。
【０００７】
本発明によって提供される物品ホルダは、正面、背面、およびこれら正面と背面間をつなぐ側面を有する磁石体と、上記磁石体の上記正面に密着させて当該正面を覆う正面被覆部、および上記磁石体の上記側面を覆う側面被覆部を一体に有するカバー体と、を備え、上記磁石体の磁力によって背面側が取付け対象面に吸着固定され、上記磁石体の磁力によって上記正面被覆部の外面に物品を吸着保持する物品ホルダであって、上記正面被覆部の厚みは、上記磁石体の上記正面と上記背面間の厚みに対して所定の比率以下の第１寸法であることを特徴としている。
【０００８】
本発明の好ましい実施の形態においては、上記所定の比率は、１／２である。
【０００９】
本発明の好ましい実施の形態においては、上記カバー体の上記側面被覆部の上記背面側の端面は、上記磁石体の上記背面に対して第２寸法をもって突出しており、この第２寸法は上記第１寸法よりも小である。
【００１０】
本発明の好ましい実施の形態においては、上記カバー体は、木製である。
【００１１】
本発明の好ましい実施の形態においては、上記カバー体は、無垢の木材を切削して形成されている。
【００１２】
本発明のその他の特徴および利点は、添付図面を参照して以下に行う詳細な説明によって、より明らかとなろう。
【図面の簡単な説明】
【００１３】
【図１】本発明に係る物品ホルダの一例を示す全体斜視図である。
【図２】図１に示す物品ホルダの断面図である。
【図３】図１に示す物品ホルダの使用状態の一例を示す断面図である。
【図４】本発明に係る物品ホルダの他の例を示す断面図である。
【図５】本発明に係る物品ホルダの他の例を示す断面図である。
【発明を実施するための形態】
【００１４】
以下、本発明の好ましい実施の形態について、図面を参照して具体的に説明する。
【００１５】
図１〜図３は、本発明に係る物品ホルダの一例を示している。図１および図２に表れているように、本実施形態の物品ホルダＡ１は、磁石体１およびカバー体２を備えており、強磁性材料からなる金属製部材の取付け対象面Ｓ（たとえば玄関ドア等の表面）に取り付けて使用するものである（図３参照）。
【００１６】
磁石体１は、正面１ａ、背面１ｂ、およびこれら正面１ａと背面１ｂ間をつなぐ側面１ｃを有し、たとえば円柱状とされている。磁石体１は、たとえばフェライト磁石などの永久磁石からなり、比較的大きな磁力を発揮するものが用いられる。磁石体１の寸法の一例を挙げると、正面１ａと背面１ｂ間の厚みｔ１が１５〜２０ｍｍ程度であり、側面１ｃの外径が２０〜４０ｍｍ程度である。詳細は後述するが、磁石体１は、カバー体２に固定されている。なお、磁石体１としては、１部材からなるものに限定されず、たとえば厚み方向に分離した２以上の部材を接着等により連結したものを採用してもよい。
【００１７】
カバー体２は、薄肉な円形状の正面被覆部２１と、この正面被覆部２１の外縁に一体につながる円筒状の側面被覆部２２とを備え、非磁性材料からなる。正面被覆部２１は、磁石体１の正面１ａに密着しており、当該正面１ａを覆っている。側面被覆部２２は、磁石体１の側面１ｃを覆っている。本実施形態において、カバー体２は、木製であり、たとえばブナなど無垢の木材を切削して形成される。なお、上記磁石体１は、たとえば正面被覆部２１の内面と磁石体１の正面１ａとが接着剤（図示略）によって接着されることにより、カバー体２に固定される。
【００１８】
正面被覆部２１の厚みｔ２は、上記磁石体１の厚みｔ１に対して所定の比率以下とされている。磁石体１の厚みｔ１に対する正面被覆部２１の厚みｔ２の比率は、好ましくは１／２以下とされ、より好ましくは１／１０以下とされる。正面被覆部２１の厚みｔ２は、たとえば１〜２ｍｍ程度とされる。
【００１９】
側面被覆部２２の内径は、たとえば２０〜４０ｍｍ程度とされており、磁石体１の側面１ｃの外径よりも僅かに大とされている。側面被覆部２２の背面側の端面２２ａは、磁石体１の背面１ｂに対して突出している。磁石体１の背面１ｂに対して側面被覆部２２の端面２２ａが突出する寸法ｔ３（第２寸法）は、正面被覆部２１の厚みｔ２よりも小であり、たとえば０．５〜１ｍｍ程度とされる。
【００２０】
上記構成の物品ホルダＡ１を使用する際には、図３に表れているように、磁石体１の磁力によって物品ホルダＡ１の背面側が取付け対象面Ｓに吸着固定される。そして、磁石体１の磁力によって、カバー体２の正面被覆部２１の外面２１ａに、磁性材料を含む物品Ｇ（たとえばキーホルダなど）を吸着保持させる。
【００２１】
次に、上記した物品ホルダＡ１の作用について説明する。
【００２２】
本実施形態の物品ホルダＡ１によれば、カバー体２の正面被覆部２１の厚みｔ２が磁石体１の厚みｔ１に対応した薄肉状とされている。このため、磁石体１の磁力は殆ど減じられることなく正面被覆部２１の外面２１ａにまで作用することになり、比較的重量の大きい物品Ｇを正面被覆部２１の外面２１ａに接触させるだけで吸着保持することができる。なお、カバー体２の外面２１ａにおいて吸着保持される物品Ｇの重量は、たとえば１００〜２００ｇ程度以上である。また、本実施形態の物品ホルダＡ１は、磁石体１とカバー体２とによって構成されており、部品点数が少なく、各部品の構造もシンプルである。したがって、上記構成の物品ホルダＡ１によれば、全体構造の簡素化を図るとともに、保持される物品Ｇの形状に制約なく使用することができる。
【００２３】
カバー体２の側面被覆部２２の背面側の端面２２ａは、磁石体１の背面１ｂに対して突出している。これにより、物品ホルダＡ１を取付け対象面Ｓに取り付けたときに、当該取付け対象面Ｓにカバー体２の上記端面２２ａが接触する一方、比較的硬質な磁石体１は取付け対象面Ｓに接触しない。したがって、このような構成によれば、取付け対象面Ｓに傷が付くのを防止することができる。
【００２４】
また、側面被覆部２２の端面２２ａから磁石体１の背面１ｂまでの寸法ｔ３（第２寸法）は、正面被覆部２１の厚みｔ２よりも小であるため、取付け対象面Ｓへの物品ホルダＡ１の取り付け時には、磁石体１の磁力の作用によって、物品ホルダＡ１が取付け対象面Ｓに適確に吸着固定される。
【００２５】
カバー体２は、木製であるため、柔らかい質感を呈して外観体裁に優れている。また、カバー体２が比較的に軟質な木製であることにより、このカバー体２に接触して吸着保持される物品Ｇに傷が付くのを防止することができる。また、カバー体２は無垢の木材を切削して形成されている。このことは、物品ホルダＡ１の外観体裁を良くするうえでより好ましい。
【００２６】
図４および図５は、本発明に係る物品ホルダの他の例を示している。なお、これらの図においては、上記実施形態と同一または類似の要素には、上記実施形態と同一の符号を付しており、適宜説明を省略する。
【００２７】
図４に表された物品ホルダＡ２は、カバー体２の構成が上記実施形態と異なっている。本実施形態では、カバー体２の正面被覆部２１は、正面側に部分的に膨らむ膨出部２１Ｂを有する。この膨出部２１Ｂは、たとえば装飾のために設けられる。物品ホルダＡ２を使用する際には、カバー体２の正面被覆部２１のうち膨出部２１Ｂを除いた外面２１ａに物品Ｇを吸着保持させることができる。本実施形態の物品ホルダＡ２によれば、上記実施形態の物品ホルダＡ１に関して上述したのと同様の効果を奏することができる。
【００２８】
図５に表された物品ホルダＡ３は、カバー体２の構成が上記実施形態と異なっている。本実施形態では、カバー体２は、磁石体１の背面１ｂを覆う背面被覆部２３を備えており、これにより、カバー体２は磁石体１の全体を覆っている。すなわち、上記実施形態では磁石体１の背面１ｂが外部に開放されていたが、本実施形態では、磁石体１の背面１ｂは背面被覆部２３に覆われている。このような構成のカバー体２は、たとえば、正面側と背面側とに分離された２つの部材間に磁石体１を収容し、上記２つの部材を接合することによって形成される。なお、物品ホルダＡ３においては、使用時にカバー体２の正面被覆部２１が正面側に向いて正しく取付けられるように、カバー体２の外周面に取付け方向を示す表記（図示略）を施してもよい。本実施形態の物品ホルダＡ３によっても、上記実施形態の物品ホルダＡ１に関して上述したのと同様の効果を奏することができる。
【００２９】
以上、本発明の具体的な実施形態を説明したが、本発明はこれに限定されるものではなく、発明の思想から逸脱しない範囲内で種々な変更が可能である。本発明に係る物品ホルダの各部の具体的な形状や材質、寸法なども、上記実施形態に限定されるものではない。
【００３０】
上記実施形態では、カバー体２が木製である場合を例に挙げて説明したが、カバー体の材質としては、樹脂などの他の材料（非磁性材料）によって構成してもよい。また、カバー体に対して磁石体を固定する手法としては、上記実施形態のような接着に限定されない。たとえば、磁石体の側面の外径寸法をカバー体の側面被覆部の内径寸法よりも大にし、磁石体をカバー体の側面被覆部に圧入することによって固定してもよい。なお、上記実施形態では、カバー体２の正面被覆部２１全体が磁石体１の正面１ａに密着している場合を例に挙げて説明したが、カバー体の正面被覆部と磁石体の正面との間に僅かな隙間が介在していてもよい。圧入等によって磁石体をカバー体に固定する方法では、カバー体の正面被覆部と磁石体の正面との間に上記した隙間が生じ得る場合があるが、かかる場合でも、カバー体の正面被覆部と磁石体の正面とは、実質的に密着しているものと解される。
【００３１】
磁石体の形状については、円柱状に限定されず、多角柱状などの他の形状を採用してもよい。この場合、カバー体の側面被覆部については、磁石体の側面に対応した形状とすればよい。また、上記実施形態では、カバー体２の正面被覆部２１が平板状とされていたが、これに限定されない。カバー体の正面被覆部については、たとえば厚みが均一な曲面板状に形成してもよく、この場合、磁石体の正面については、正面被覆部の内面に対応した曲面形状とすればよい。
【符号の説明】
【００３２】
Ａ１，Ａ２，Ａ３    物品ホルダ
Ｇ        物品
Ｓ        取付け対象面
１        磁石体
１ａ      （磁石体の）正面
１ｂ      （磁石体の）背面
１ｃ      （磁石体の）側面
２        カバー体
２１      正面被覆部
２１ａ    （正面被覆部の）外面
２２      側面被覆部
２２ａ    （側面被覆部の背面側の）端面
ｔ１      （磁石体の正面と背面間の）厚み
ｔ２      正面被覆部の厚み（第１寸法）
ｔ３      寸法（第２寸法）
【図１】
2013094382.tif 000003
【図２】
2013094382.tif 000004
【図３】
2013094382.tif 000005
【図４】
2013094382.tif 000006
【図５】
2013094382.tif 000007